(57)【要約】  【課題】ネスティング可能に構成されたイスにおいて、ネスティング状態におけるコンパクト性を低下させることなく、イスとしての座り心地を向上させる。  【解決手段】左右方向に延びる支持フレームを脚部により支持してなる脚体と、枠体に囲まれた領域に着座面となるシート状部材を張り掛けてなり、枠体の後方側において左右方向に延びる軸を中心として回動可能に固定された座体と、を備える。座体の枠体のうちの左片および右片それぞれの裏面には、該裏面から突出して支持フレームに接触することで、座体を着席可能な状態に位置決めする一対の位置決め部材が設けられている。位置決め部材は、座体への着席でシート状部材が変形した場合における該シート状部材の下端が、支持フレームの上端よりも上方にある状態で支持フレームに接触する位置関係となるように、枠体の裏面からの突出量が定められている。【選択図】図１
2020146549.tif 000002
【特許請求の範囲】
【請求項１】
左右方向に延びる支持フレームを脚部により支持してなる脚体と、
枠体に囲まれた領域に着座面となるシート状部材を張り掛けてなり、前記枠体の後方側において左右方向に延びる軸を中心として回動可能に固定された座体と、を備えており、
前記座体の枠体のうち、左右側方において前後に延びる左片および右片それぞれの裏面には、該裏面から突出して前記支持フレームに接触することにより、前記座体を着席可能な状態に位置決めする一対の位置決め部材が設けられており、
前記位置決め部材は、前記座体への着席で前記シート状部材が変形した場合における該シート状部材の下端が、前記支持フレームの上端よりも上方にある状態で前記支持フレームに接触する位置関係となるように、前記枠体の裏面からの突出量が定められている
ことを特徴とするイス。
【発明の詳細な説明】
【技術分野】
【０００１】
本発明は、脚体と座体とを備えたイスに関する。
【背景技術】
【０００２】
従来から、ホールなどで使用するイスとして、未使用時に収容スペースを小さくすべく、座体を上方に跳ね上げた状態で前後方向に重ねて収容する、いわゆるネスティング可能に構成されたものが知られている。
【０００３】
この種のイスでは、ネスティング状態においてコンパクトに収容できるようにすることだけでなく、イスとしての充分な強度を確保できるようにするために、脚体上部において左右方向に延びるフレームにより座体を位置決めすることが一般的である（特許文献１,
２参照）。
【先行技術文献】
【特許文献】
【０００４】
【特許文献１】特開２００５−２７９０３２号
【特許文献２】特開２００５−２１８５３４号
【発明の概要】
【発明が解決しようとする課題】
【０００５】
近年、上述したようなネスティング可能なイスに限らず、座体を枠体にシート状部材を張り掛けたものとするなどし、イスとしての座り心地を向上させることが行われているが、上記先行技術では、このような要請にそのまま応えることはできない。
【０００６】
なぜなら、コンパクト性を維持すべく、座体の直下に配置されたフレームで荷重を受ける構造となっているため、座体への着席でシート状部材が下方向に変形すると、フレームに接触してそれ以上の変形が妨げられ、かえって座り心地が悪くなるからである。
【０００７】
本願発明は、このような課題を解決するためになされたものであり、その目的は、ネスティング可能に構成されたイスにおいて、ネスティング状態におけるコンパクト性を低下させることなく、イスとしての座り心地を向上させることである。
【課題を解決するための手段】
【０００８】
上記課題を解決するため第１の構成は、左右方向に延びる支持フレームを脚部により支持してなる脚体と、枠体に囲まれた領域に着座面となるシート状部材を張り掛けてなり、前記枠体の後方側において左右方向に延びる軸を中心として回動可能に固定された座体と、を備えており、前記座体の枠体のうち、左右側方において前後に延びる左片および右片それぞれの裏面には、該裏面から突出して前記支持フレームに接触することにより、前記座体を着席可能な状態に位置決めする一対の位置決め部材が設けられており、前記位置決め部材は、前記座体への着席で前記シート状部材が変形した場合における該シート状部材の下端が、前記支持フレームの上端よりも上方にある状態で前記支持フレームに接触する位置関係となるように、前記枠体の裏面からの突出量が定められている。
【０００９】
このように構成されたイスであれば、座体の直下に配置した支持フレームで荷重を受ける構造を採用しているにも拘らず、座体への着席でシート状部材が変形したとしても、その下端が支持フレームに接触することはなく、着席に伴うシート状部材の変形が妨げられることがない。そのため、上記構造によりネスティング状態におけるコンパクト性を確保
しつつ、好適にイスとしての座り心地を向上させることができる。
【００１０】
ところで、上記構成においては、着席者の坐骨結節に対応する前後位置、つまり着席者の坐骨結節が位置すると想定される前後方向に沿った位置が、着席者の前後方向における重心位置となりうるため、少なくとも座体における枠体の裏面のうち、この位置を基準位置として前後に延びる領域で荷重を受けられるようにすることが、イスとしての着席時の強度を確保するためには有効である。
【００１１】
このためには、上記構成を、以下に示す第２の構成または第３の構成のようにすることが考えられる。
第２の構成において、前記位置決め部材は、前記枠体の裏面のうち、前記基準位置を含めて前後方向に拡がる所定領域の前後端それぞれから突出する一組の突出片と、前記一組の突出片をそれぞれの先端側で連結する連結片と、からなり、前記連結片が前記支持フレームに接触することにより前記座体を位置決めする。
【００１２】
第３の構成において、前記位置決め部材は、前記枠体の裏面のうち、前記基準位置を含めて前後方向に拡がる所定領域にわたって突出する板状の突起として形成されている。
これら構成に係るイスであれば、位置決め部材により、座体において着席者の重心位置となりうる領域で荷重を受けることができるため、イスとしての着席時の強度を好適に確保することができる。
【００１３】
特に、第２の構成のように、一組の突出片と連結片とで位置決め部材を構成した場合には、この枠状の構造により弾性変形を生じやすくすることができるため、例えば、着席状態での荷重を超える大きさの荷重でのみ弾性変形する設計としておくことにより、着席時に生じる大きな荷重を吸収する機能を持たせることができる。
【００１４】
また、これらの構成は、以下に示す第４の構成とすることが考えられる。
第４の構成において、前記位置決め部材は、前後方向の幅が先端に向けて狭くなる形状となっており、前記支持フレームは、部材としての上面が前記位置決め部材との接触領域となり、側面視で前記位置決め部材の前端面を該前端面に沿って延長した線と重なる位置まで、部材としての前端が到達している。
【００１５】
このように構成されたイスであれば、位置決め部材における前後方向の幅が先端に向けて狭くなっているため、この前後幅にあわせて、支持フレームにおいて位置決め部材と接触する領域の前後幅も短くすることができ、これによりネスティング時のコンパクト性をより向上させることができる。
【００１６】
また、上記各構成は、以下に示す第５の構成のようにするとよい。
第５の構成において、前記位置決め部材は、側面視で前方に延出する延出領域を有し、該延出領域を含む前後方向の幅が先端に向けて狭くなる形状とされている。
【００１７】
このように構成されたイスであれば、位置決め部材の延出領域を含む前端側が座体の左右端それぞれを裏面から支持して補強する状態となり、座体としての強度を向上させることができるだけでなく、座体がその前端ほど徐々に撓りやすくなるように作用するため、着席者の脚（特に大腿部裏側）が接触したことによる座体の変形が妨げられにくくなる結果、イスとしての座り心地を良好なものとすることができる。
【００１８】
また、上記各構成は以下に示す第６の構成とすることが考えられる。
第６の構成において、前記一対の位置決め部材は、一方における先端から他方における先端が、左右方向に延びる補強フレームによって接続されている。
【００１９】
このように構成されたイスであれば、位置決め部材それぞれを補強フレームによって接続することで、イスとしての着席時の強度をより向上させることができる。
また、上記各構成は以下に示す第７,第８の構成とするとよい。
【００２０】
第７の構成において、前記支持フレームは、前記位置決め部材との接触領域と隣接する領域に、該位置決め部材が左右方向の内側へ変位することを規制する内側規制片が形成されている。
【００２１】
第８の構成において、前記支持フレームには、前記位置決め部材との接触領域と隣接する領域に、該位置決め部材が左右方向の外側へ変位することを規制する外側規制片が形成されている。
【００２２】
これら構成に係るイスであれば、支持フレームの規制片が位置決め部材との接触領域と隣接する領域に配置され、両者の位置関係が明確になっているため、利用者にとって、座体の着席可能な状態への位置決めを確実かつ容易に行うことができるようになる。
【００２３】
また、内側規制片を形成した構成においては、着席時の荷重で位置決め部材が左右方向内側へ変位させられてしまうような場合でも、この変位が内側規制片により規制されるため、イスとしての着席時の強度をより向上させることができる。
【００２４】
また、外側規制片を形成した構成においては、着席時など大きな荷重が加わって位置決め部材が左右方向外側へ変位させられるような場合でも、この変位が外側規制片により規制されるため、このような荷重による意図しない変形を防止することができる。
【００２５】
また、上記各構成は以下に示す第９の構成とするとよい。
第９の構成において、前記位置決め部材は、前記座体の裏面から左右方向内側に向けて傾斜するように突出しており、該座体の左右外側面よりも内側となる位置において前記支持フレームと接触するように構成されている。
【００２６】
このように構成されたイスであれば、位置決め部材が座体の左右外側面よりも内側となる位置において支持フレームと接触するため、この接触領域までに一定の距離が確保される結果、着席者の指先などが挟まるといった事態を未然に防止することができる。
【図面の簡単な説明】
【００２７】
【図１】イスの全体構成を示す六面図（左側面図は書略）
【図２】正面図におけるＡ−Ａ断面図
【図３】イスの特徴部分を示す斜視図
【図４】別の実施形態におけるイスの特徴部分を示す斜視図
【図５】複数のイスをネスティング状態とする様子を示す図
【図６】別の実施形態におけるイスの特徴部分を示す斜視図
【図７】別の実施形態におけるイスの特徴部分を示す要部正面図
【図８】別の実施形態における座体の枠体を示す要部右側面図
【図９】別の実施形態におけるイスの全体構成を示す正面図および右側面図
【図１０】別の実施形態における複数のイスをネスティング状態とする様子を示す図
【発明を実施するための形態】
【００２８】
以下に、本発明を実施するための形態を図と共に説明する。
（１）構成
イス１は、図１に示すように、背もたれ１０と、座体２０と、左右一対の脚部３０，４
０と、左右方向に延びる支持フレーム５０と、を備え、同一のイス１を前後方向に重ねて収納（いわゆるネスティング）可能なネスティングチェアーである。
【００２９】
背もたれ１０は、板状の部材を、平面視で後方に向けて凸となる円弧状とすることで、全体として着席者の背中に沿うような形状とされたものであり、その上端側から後方に向けて延出する帯状の帯状片１１と、左右両側の下端それぞれから下方に延びて支持フレーム５０に連結される一対の背側連結片１３と、を備えている。
【００３０】
これらのうち、帯状片１１は、背もたれ１０上端の左右端部側それぞれから後方に延出する部位と、該部位それぞれを左右方向に連結する帯状の部位とからなり、これにより、背もたれ１０上端と帯状片１１とで囲まれた横長の空間を形成している。この帯状片１１における帯状の部位は、イス１を移動させる際などの取っ手として使用される。なお、この帯状片１１は、この構成に限らず、図４（ａ）に示すように、帯状の部位のみからなるものとし、横長の空間が形成されていない構成としてもよい。
【００３１】
また、一対の背側連結片１３は、座体２０の後端側を左右から挟む位置関係で配置され、図２に示すように、この座体２０を、左右方向に延びる軸体１５を中心として回動可能に固定している。これにより、座体２０を着座面が地面に沿った面となるように倒す使用状態（図３（ａ））と、この着座面を地面と交差する面となるように座体２０を跳ね上げる収容状態（図３（ｂ））と、の間で回動可能となる。
【００３２】
この背もたれ１０は、座体２０の上方において支持フレーム５０に支持されており、これにより、図３（ｃ）に示すように、座体２０の後端および背もたれ１０の下端に囲まれた横長の空間が形成されている。
【００３３】
座体２０は、平面視で四角形の枠体２１に囲まれた領域に、着座面となるシート状部材２３が張り掛けられたものである。本実施形態では、枠体２１が、図２に示すように、表側枠体２１ａと裏側枠体２１ｂとが表裏方向に重ねられ、表側枠体２１ａにシート状部材２３が張り掛けられ、裏側枠体２１ｂに後述する位置決め部材１００が設けられている。なお、この座体２０は、その後端部から前端部に向かう上り勾配の傾斜面となっており（右側面図参照）、その前端部は下方向に垂れ下がる垂下片となっている。
【００３４】
この座体２０には、背もたれ１０の一対の背側連結片１３に対応する位置（後端側における左右両側）それぞれに、背もたれ１０に対して座体２０を固定するための一対の座側固定片２５が備えられ、ここに上述した軸体１５を通して固定することにより、座体２０全体が背もたれ１０に対して回転可能となる（図３（ａ）（ｂ）参照）。
【００３５】
また、この座体２０における枠体２１のうち、左右側方において前後に延びる左片および右片それぞれの裏面には、座体２０を着席可能な状態に位置決めする一対の位置決め部材１００が設けられている。
【００３６】
この位置決め部材１００は、座体２０裏面から突出したものであり、本実施形態では、側面視で前後方向の幅が先端に向けて狭くなる形状（本実施形態では台形状）となっている。この座体２０からの突出量は、座体２０への着席でシート状部材２３が変形した場合におけるシート状部材２３の下端が、支持フレーム５０上端よりも上方にある状態で支持フレーム５０に接触する位置関係となるように定められている。なお、本実施形態において、位置決め部材１００は、座体２０の裏面から左右方向内側に向けて傾斜するように突出しており、座体２０の左右外側面よりも内側となる位置において支持フレーム５０と接触する（図１の正面図参照）。
【００３７】
ここで、図２に示すように、座体２０において着席者の坐骨結節に対応する前後位置（つまり着席者の坐骨結節が位置すると想定される前後方向に沿った位置）を基準位置ａと仮定すると、位置決め部材１００は、枠体２１の裏面のうち、基準位置ａを含めて前後方向に拡がる所定領域ｂの前後端それぞれから突出する一組の突出片１０１と、突出片１０１をそれぞれの先端側で連結する連結片１０３と、からなり、連結片１０３が支持フレーム５０に接触することにより座体２０を位置決めする。ここで、位置決め部材１００は、一組の突出片１０１と連結片１０３とからなる構成に限られず、例えば、図４（ｂ）に示すように、枠体２１の裏面のうち、所定領域ｂ全域にわたって突出する突起として形成してもよい。
【００３８】
また、位置決め部材１００それぞれは、図３（ｂ）に示すように、一方における先端（連結片１０３）から他方における先端（連結片１０３）が、左右方向に延びる補強フレーム１０５によって接続されている。この補強フレーム１０５は、位置決め部材１００をそれぞれの前後端においてのみ接続した構成とされているが、この構成に限られず、図４（ｃ）に示すように、板状の部材を採用し、位置決め部材１００の先端それぞれを前後幅全域にわたって接続した構成としてもよく、図６（ｂ）に示すように、これを設けない構成としてもよい。
【００３９】
なお、本実施形態において、位置決め部材１００それぞれは、いすの強度と耐久性の試験方法に関するＪＩＳ規格（Ｓ１２０３）に規定された静的強度試験または耐衝撃性試験における荷重を加えた状態で、この荷重で変形したシート状部材２３の下端が少なくとも支持フレーム５０の上面に接触しないように定められた高さ（荷重の大きさとシート状部材２３の弾性に応じた高さとして具体的には５０ｍｍ）が確保されている。この荷重で座体２０の下端部が支持フレーム５０の上面に接触しない構成であれば、その荷重以下の着席者による着席で、座体２０への着席でシート状部材２３が変形したとしても、シート状部材２３の下端が、支持フレーム５０上端に接触してしまうことはない。
【００４０】
脚部３０,４０は、支持フレーム５０における端部側それぞれの下部から斜め前方へ延
びるように設けられた前脚３１，４１と、支持フレーム５０において前脚３１，４１よりも外側の端部側それぞれの下部から斜め後方へ延びるように設けられた後脚３３，４３と、各脚の下端に設けられたキャスター３５，４５を備えている。こうして、支持フレーム５０を脚部３０，４０に支持されてなる脚体を構成している。なお、イス１としては、これらキャスター３５，４５を備えていない構成を採用してもよい。
【００４１】
なお、脚部３０，４０は、それぞれの間隔が前脚３１，４１側よりも、後脚３３，４３側において左右に広く形成され、これにより、同一形状のイス１を前後方向に積重ねられるように構成している。
【００４２】
支持フレーム５０は、左右方向に延びる板状のフレーム本体５１と、フレーム本体５１における左右方向の端部側それぞれの上部から上方に延びて背もたれ１０と連結される一対の支持側連結片５３と、を備え、本実施形態においては、フレーム本体５１が脚部３０，４０を左右方向に連結している。このフレーム本体５１は、図２に示すように、部材としての上面が位置決め部材１００との接触領域となり、側面視で位置決め部材１００の前端面をこの前端面に沿って延長した線と重なる位置まで、部材としての前端が到達している。
【００４３】
このフレーム本体５１における前端は、下方向に傾斜する曲面(本実施形態では側面視
で半円形)となっており、ここに位置決め部材１００の先端に形成された凸部１０７が嵌
合するように構成されている。
【００４４】
以上のような構成のイス１は、座体２０の着座面を地面と交差する面となるように座体２０を跳ね上げることにより、図５に示すように、これを前後方向に重ねることができる状態となり未使用時の収容スペースを小さくすることができる。
（２）変形例
以上、本発明の実施の形態について説明したが、本発明は、上記実施形態に何ら限定されることはなく、本発明の技術的範囲に属する限り種々の形態をとり得ることはいうまでもない。
【００４５】
例えば、上記実施形態においては、支持フレーム５０のフレーム本体５１として左右方向に延びる板状のものを採用した構成を例示した。しかし、このフレーム本体５１は、この構成に限らず、例えば、図６に示すように、左右方向に延びる円柱状のものを採用してもよい。
【００４６】
この構成では、位置決め部材１００がフレーム本体５１における曲面状の外周面に沿って弾性変形しやすくなることを考慮し、側面視で位置決め部材１００の前端面をこの前端面に沿って延長した線と重なる位置よりも一定距離だけ後方まで、部材としての前端を到達させる前後幅を有したものとしてもよい。
【００４７】
また、上記実施形態において、支持フレーム５０と位置決め部材１００との接触領域は、座体２０の位置決めやイス１としての強度確保の観点から、以下のような構成としてもよい。具体的には、図７に示すように、支持フレーム５０のうち、位置決め部材１００との接触領域と隣接する領域に、位置決め部材１００が左右方向の内側へ変位することを規制する内側規制片５５や、位置決め部材１００が左右方向の外側へ変位することを規制する外側規制片５７などを設ける、といった構成である。
【００４８】
ここでは、支持フレーム５０側に突起を形成し、この突起における左右方向の外側が内側規制片５５、左右方向の内側が外側規制片５７として機能すると共に、位置決め部材１００側に、これら規制片５５，５７からなる突起の先端において支持フレーム５０と接触するように位置決め孔１０９を形成した構成を例示している。しかし、内側規制片５５と外側規制片５７とはそれぞれ別の部材として形成されたものとしてもよいし、これら規制片５５，５７を、位置決め部材１００の左右方向の外側および内側それぞれに配置した構成としてもよい。
【００４９】
また、上記実施形態においては、位置決め部材１００が側面視で前後方向の幅が先端に向けて直線的に狭くなる台形状となっている構成を例示した。しかし、この位置決め部材１００は、側面視で前後方向の幅が先端に向けて狭くなる形状であれば、台形状以外の形状としてもよい。具体的には、図８に示すように、側面視で前方に延出する延出領域１２０を有し、この延出領域１２０を含む前後方向の幅が先端に向けて狭くなる（上下方向の厚さが前方へ向かうほど小さくなる）形状とする、ことなどが考えられる。なお、この延出領域１２は、位置決め部材１００本体の前端面から、座体２０において下方に垂下し始める領域までの間における所定の位置まで、延出させたものとすればよい。
【００５０】
また、上記実施形態では、左右一対の脚部３０，４０と、脚部３０，４０を左右方向に連結する支持フレーム５０とにより、脚部３０，４０が支持フレーム５０に支持されてなる脚体を構成したものを例示した。しかし、脚体としては、左右方向に延びる支持フレーム５０を脚部３０，４０に支持されたものであればよく、この構成に限定されない。
【００５１】
例えば、図９に示すように、支持フレーム５０と、この支持フレーム５０の下方から下方向に延びる軸体２１０と、軸体２１０に対してそれぞれ回転可能に取付けられてなる脚部３０，４０の各脚３１，４１,３３,４３と、により脚体を構成したものとすることが考
えられる。この構成においては、軸体２１０を中心に回転可能な筒状体２２０を設け、この筒状体２２０の外周面からそれぞれ異なる方向へ延びるように各脚３１，４１,３３,４３を設ければよい。ただし、脚部３０，４０は、左右の間隔が前脚３１，４１側よりも後脚３３，４３側において広く形成されるとともに、後脚３３，４３の方が前脚３１，４１よりも高い位置に設けられ、これにより、同一形状のイス１を前後方向に積重ねられるように構成している。
【００５２】
このような脚体のイス２であっても、座体２０の着座面を地面と交差する面となるように座体２０を跳ね上げることにより、図１０に示すように、これを前後方向に重ねることができる状態となり未使用時の収容スペースを小さくすることができる。
（３）作用，効果
このように構成されたイス１であれば、座体２０の直下に配置した支持フレーム５０で荷重を受ける構造を採用しているにも拘らず、座体２０への着席でシート状部材２３が変形したとしても、その下端が支持フレーム５０に接触することはなく、着席に伴うシート状部材２３の変形が妨げられることがない。そのため、上記構造によりネスティング状態におけるコンパクト性を確保しつつ、好適にイス１としての座り心地を向上させることができる。
【００５３】
また、上記構成のようなイス１では、着席者の坐骨結節に対応する前後位置、つまり着席者の坐骨結節が位置すると想定される前後方向に沿った位置が、着席者の前後方向における重心位置となりうるため、少なくとも座体２０における枠体２１の裏面のうち、この位置を基準位置ａとして前後に延びる領域ｂで荷重を受けられるようにすることが、イス１としての着席時の強度を確保するために有効である。この点、この上記構成では、位置決め部材１００により、座体２０において着席者の重心位置となりうる領域ｂで荷重を受けることができるため、イス１としての着席時の強度を好適に確保することができる。
【００５４】
また、一組の突出片１０１と連結片１０３とで位置決め部材１００を構成した場合には、この枠状の構造により弾性変形を生じやすくすることができるため、着席状態での荷重を超える大きさの荷重でのみ弾性変形する設計としておくことにより、着席時に生じる大きな荷重を吸収する機能を持たせることができる。
【００５５】
また、上記構成では、位置決め部材１００における前後方向の幅が先端に向けて狭くなっているため、この前後幅にあわせて、支持フレーム５０において位置決め部材１００と接触する領域の前後幅も短くすることができ、これによりネスティング時のコンパクト性をより向上させることができる。
【００５６】
また、上記構成では、位置決め部材１００それぞれを補強フレーム１０５によって接続することで、イス１としての着席時の強度をより向上させることができる。
また、上記構成では、位置決め部材１００が座体２０の左右外側面よりも内側となる位置において支持フレーム５０と接触するため、この接触領域までに一定の距離が確保される結果、着席者の指先などが挟まるといった事態を未然に防止することができる。
【００５７】
また、支持フレーム５０に内側規制片５５や外側規制片５７を設けた構成であれば、支持フレーム５０の規制片５５，５７が位置決め部材１００との接触領域と隣接する領域に配置され、両者の位置関係が明確になっているため、利用者にとって、座体２０の着席可能な状態への位置決めを確実かつ容易に行うことができるようになる。
【００５８】
また、内側規制片５５を形成した構成においては、着席時の荷重で位置決め部材１００が左右方向内側へ変位させられてしまうような場合でも、この変位が内側規制片５５により規制されるため、イス１としての着席時の強度をより向上させることができる。
【００５９】
また、外側規制片５７を形成した構成においては、着席時など大きな荷重が加わって位置決め部材１００が左右方向外側へ変位させられるような場合でも、この変位が外側規制片５７により規制されるため、このような荷重による意図しない変形を防止することができる。
【００６０】
また、位置決め部材１００に延出領域１２０を設け、この延出領域１２０を含む前後方向の幅が先端に向けて狭くなる形状とした構成であれば、位置決め部材１００の延出領域１２０を含む前端側が座体２０の左右端それぞれを裏面から支持して補強する状態となり、座体２０としての強度を向上させることができるだけでなく、座体２０がその前端ほど徐々に撓りやすくなるように作用するため、着席者の脚（特に大腿部裏側）が接触したことによる座体２０の変形が妨げられにくくなる結果、イス１としての座り心地を良好なものとすることができる。
【符号の説明】
【００６１】
１…イス、１０…背もたれ、１１…帯状片、１３…背側連結片、１５…軸体、２０…座体、２１…枠体、２１ａ…表側枠体、２１ｂ…裏側枠体、２３…シート状部材、２５…座側固定片、３０…脚部、３１…前脚、３３…後脚、３５…キャスター、４０…脚部、４１…前脚、４３…後脚、４５…キャスター、５０…支持フレーム、５１…フレーム本体、５３…支持側連結片、５５…内側規制片、５７…外側規制片、１００…位置決め部材、１０１…突出片、１０３…連結片、１０５…補強フレーム、１０７…凸部、１０９…位置決め孔、１２０…延出領域、２１０…軸体、２２０…筒状体。
【図１】
2020146549.tif 000003
【図２】
2020146549.tif 000004
【図３】
2020146549.tif 000005
【図４】
2020146549.tif 000006
【図５】
2020146549.tif 000007
【図６】
2020146549.tif 000008
【図７】
2020146549.tif 000009
【図８】
2020146549.tif 000010
【図９】
2020146549.tif 000011
【図１０】
2020146549.tif 000012